(57)【要約】      （修正有）【課題】電話着信時に発信元に関連する情報を提供する。【解決手段】電話回線網に接続される主装置２１０に接続され、複数の第一端末装置２２１とネットワーク３１０を介して接続されるネットワーク接続記憶装置１００であって、電子ファイル１２２を示すファイル情報１２１を記憶する記憶手段１２０と、着信を示す第一着信情報を主装置２１０から取得する着信情報処理部１１１と、第一着信情報に含まれる発信元情報に関連する複数の電子ファイル１２２に対応する複数のファイル情報１２１をファイル情報群１２３として収集するファイル情報収集部１１３と、ファイル情報群１２３を第一端末装置２２１の少なくとも１台に出力する端末出力部１１４と、を備える。【選択図】図４
2020188354.tif 000002
【特許請求の範囲】
【請求項１】
電話回線網に接続される主装置に接続され、複数の第一端末装置とネットワークを介して接続されるネットワーク接続記憶装置であって、
電子ファイルを示すファイル情報を記憶する記憶手段と、
着信を示す第一着信情報を前記主装置から取得する着信情報処理部と、
前記第一着信情報に含まれる発信元情報に関連する複数の前記電子ファイルに対応する複数の前記ファイル情報をファイル情報群として収集するファイル情報収集部と、
前記ファイル情報群を前記第一端末装置の少なくとも１台に出力する端末出力部と、
を備えるネットワーク接続記憶装置。
【請求項２】
前記着信情報処理部は、
前記第一端末装置の少なくとも１台に前記発信元情報を出力し、
前記ファイル情報群の出力を要求する要求情報を、前記発信元情報を取得した前記第一端末装置から取得する要求情報取得部をさらに備え、
前記端末出力部は、
前記要求情報を出力した前記第一端末装置に前記ファイル情報群を出力する
請求項１に記載のネットワーク接続記憶装置。
【請求項３】
前記ファイル情報収集部は、
電子ファイルの内容を示すサムネイルを含むファイル情報を収集し、
前記端末出力部は、
収集した前記サムネイルを含む前記ファイル情報群を出力する
請求項１または２に記載のネットワーク接続記憶装置。
【請求項４】
前記着信情報処理部は、
前記主装置を介することなく前記電話回線網に接続される第二端末装置から第二着信情報を取得し、
前記ファイル情報収集部は、
前記第二着信情報に含まれる発信元情報に関連する複数の電子ファイルをそれぞれ示す複数のファイル情報をファイル情報群として収集し、
前記端末出力部は、
前記ファイル情報群を前記第一端末装置、および前記第二端末装置の少なくとも１台に出力する
請求項１から３のいずれか一項に記載のネットワーク接続記憶装置。
【請求項５】
前記記憶手段は、
前記主装置と前記主装置に接続される電話機との接続関係を示す接続情報と、前記主装置と前記電話機の所在を示す位置情報とを含むネットワーク構成情報を記憶する
請求項１から４のいずれか一項に記載のネットワーク接続記憶装置。
【請求項６】
前記記憶手段は、
前記発信元情報を取得した場合に、前記発信元情報、および前記発信元情報に関連する前記ファイル情報群の出力を要求する要求操作情報をポップアップ表示する表示処理部と、前記要求操作情報に基づく操作により要求情報を出力する要求情報出力部と、を含む管理ソフトウエアを記憶し、
前記端末出力部は、
前記管理ソフトウエアを前記第一端末装置に出力する
請求項１から５のいずれか一項に記載のネットワーク接続記憶装置。
【請求項７】
電話回線網に接続される主装置と、前記主装置に接続されるネットワーク接続記憶装置と、前記ネットワーク接続記憶装置にネットワークを介して接続される複数の第一端末装置とを備える情報管理システムであって、
前記ネットワーク接続記憶装置は、
着信を示す第一着信情報を前記主装置から取得し、前記第一着信情報に含まれる発信元情報を前記第一端末装置の少なくとも１台に出力する着信情報処理部と、
前記ファイル情報群の出力を要求する要求情報を、前記発信元情報を取得した前記第一端末装置から取得する要求情報取得部と、
前記第一着信情報に含まれる発信元情報に関連する複数の電子ファイルをそれぞれ示す複数のファイル情報をファイル情報群として収集するファイル情報収集部と、
前記ファイル情報群を前記第一端末装置の少なくとも１台に出力する端末出力部と、を備え、
前記第一端末装置は、
前記発信元情報を取得した場合に、前記発信元情報、および前記発信元情報に関連する前記ファイル情報群の出力を要求する要求操作情報をポップアップ表示する表示処理部と、
前記要求操作情報に基づく操作により要求情報を出力する要求情報出力部と、を備える
情報管理システム。
【発明の詳細な説明】
【技術分野】
【０００１】
本発明は、電話番号と対応付けられた情報を管理するネットワーク接続記憶装置、および情報管理システムに関するものである。
【背景技術】
【０００２】
電話とコンピュータとを統合し効率的な顧客対応を実現したＣＴＩ（Ｃｏｍｐｕｔｅｒ  Ｔｅｌｅｐｈｏｎｙ  Ｉｎｔｅｇｒａｔｉｏｎ）システムが、コールセンター等において既に導入されている。 例えば特許文献１には、電話着信時に、受付担当者（オペレータ）のコンピュータ画面にその電話番号の顧客情報をポップアップ表示し、これまでの応対履歴を確認しながら電話応対をすることができるＣＴＩシステムが記載されている。
【先行技術文献】
【特許文献】
【０００３】
【特許文献１】特開２００１−２９８５４４号公報
【発明の概要】
【発明が解決しようとする課題】
【０００４】
ところが、従来のＣＴＩシステムでは、オペレータは、顧客からの問い合わせに対して簡単な応対履歴を確認することができるものの、顧客から問い合わせの度に問い合わせ内容に対応した図面の電子ファイルや取扱説明書の電子ファイルを記憶装置内から探し出していた。この手順は、顧客を待たせることになり、望ましい応対ではなかった。
【０００５】
そこで本発明は、このような状況に鑑みてなされたものであり、電話をかけてきた顧客に対応した電子ファイルを示す情報をオペレータなどに簡単に提示することができるネットワーク接続記憶装置および情報管理システムの提供を目的とする。
【課題を解決するための手段】
【０００６】
上記目的を達成するために、本発明の１つであるネットワーク接続記憶装置は、電話回線網に接続される主装置に接続され、複数の第一端末装置とネットワークを介して接続されるネットワーク接続記憶装置であって、電子ファイルを示すファイル情報を記憶する記憶手段と、着信を示す第一着信情報を前記主装置から取得する着信情報処理部と、前記第一着信情報に含まれる発信元情報に関連する複数の前記電子ファイルに対応する複数の前記ファイル情報をファイル情報群として収集するファイル情報収集部と、前記ファイル情報群を前記第一端末装置の少なくとも１台に出力する端末出力部と、を備える。
【０００７】
上記目的を達成するために、本発明の他の１つである情報管理システムは、電話回線網に接続される主装置と、前記主装置に接続されるネットワーク接続記憶装置と、前記ネットワーク接続記憶装置にネットワークを介して接続される複数の第一端末装置とを備える情報管理システムであって、前記ネットワーク接続記憶装置は、着信を示す第一着信情報を前記主装置から取得し、前記第一着信情報に含まれる発信元情報を前記第一端末装置の少なくとも１台に出力する着信情報処理部と、前記ファイル情報群の出力を要求する要求情報を、前記発信元情報を取得した前記第一端末装置から取得する要求情報取得部と、前記第一着信情報に含まれる発信元情報に関連する複数の電子ファイルをそれぞれ示す複数のファイル情報をファイル情報群として収集するファイル情報収集部と、前記ファイル情報群を前記第一端末装置の少なくとも１台に出力する端末出力部と、を備え、前記第一端末装置は、前記発信元情報を取得した場合に、前記発信元情報、および前記発信元情報に関連する前記ファイル情報群の出力を要求する要求操作情報をポップアップ表示する表示処理部と、前記要求操作情報に基づく操作により要求情報を出力する要求情報出力部と、を備える。
【発明の効果】
【０００８】
本発明に係るネットワーク接続記憶装置および情報管理システムによれば、発信元情報に関連するファイル情報群を適宜提供することができる。
【図面の簡単な説明】
【０００９】
【図１】実施の形態に係るネットワーク接続記憶装置を備えた情報管理システムの構成を示す図である。
【図２】実施の形態に係る第一端末装置の機能構成を示すブロック図である。
【図３】実施の形態に係る表示部に表示される発信元情報等の画面を示す図である。
【図４】実施の形態に係るネットワーク接続記憶装置の機能構成を示すブロック図である。
【図５】実施の形態に係る情報管理システムの処理の流れを示すタイミングチャートである。
【図６】実施の形態に係る表示部に表示されるファイル情報群の画面を示す図である。
【発明を実施するための形態】
【００１０】
以下に、本発明に係るネットワーク接続記憶装置、および情報管理システムの実施の形態について、図面を参照しつつ説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
また、図面は、本発明を示すために適宜強調や省略、比率の調整を行った模式的な図となっており、実際の形状や位置関係、比率とは異なる場合がある。
【００１２】
まず、図１を用いて、実施の形態に係るネットワーク接続記憶装置を備えた情報管理システムの構成の概要について説明する。
【００１３】
同図に示すように、情報管理システム２００は、着信した相手先の情報などを管理し表示することができる、ネットワーク接続記憶装置１００、主装置２１０、第一端末装置２２１、電話機２３０、ＨＵＢ２５０を備えている。本実施の形態の場合、情報管理システム２００は、第二端末装置２２２を備えている。
【００１４】
主装置２１０は、電話回線網３００を介して外線電話との間の通話である外線通話の中継、または電話機２３０および電話機２３０の間の通話である内線通話の中継を行う構内交換機（ＰＢＸ）である。主装置２１０は、電話番号、および電話番号とひも付けられた識別情報を含む電話帳レコードを主装置２１０の記憶手段に記憶している。本実施の形態の場合、主装置２１０は、識別情報としてユニークな識別番号と、相手先の名前、ふりがな、電話番号が含まれた電話帳レコードを記憶している。また、主装置２１０は、複数の電話帳レコードを記憶している。つまり、主装置２１０は、複数の電話帳レコードで構成された電話帳テーブルを記憶している。
【００１５】
主装置２１０は、電話回線網３００を介した着信、および着信に対する応答の少なくとも一方が発生すると、着信を示す第一着信情報をネットワーク接続記憶装置１００に出力する。第一着信情報には、着信に対応する発信元を識別することができる発信元情報が含まれる。発信元情報は、発信元の電話番号でも良く、また発信元を識別する識別情報、またはその両方であっても構わない。第一着信情報には、相手先の名前、ふりがななどが含まれても構わない。第一着信情報は、発信元情報のみであっても構わない。
【００１６】
図２は、第一端末装置の機能構成を示すブロック図である。第一端末装置２２１は、ソフトウエアにより種々の機能を実現することができるいわゆるコンピュータであり、表示処理部２２４と、要求情報出力部２２３と、表示部２２５とを備えている。第一端末装置２２１は、ＨＵＢ２５０及びＬＡＮ（Ｌｏｃａｌ  Ａｒｅａ  Ｎｅｔｗｏｒｋ）３１０を介してネットワーク接続記憶装置１００と接続され、管理ソフトウエアを実行することにより表示処理部２２４と、要求情報出力部２２３を実現する。なお、管理ソフトウエアは、ネットワーク接続記憶装置１００から取得しても構わない。また、第一端末装置２２１は、具体的には携帯型個人情報端末であるＰＤＡ（Ｐｅｒｓｏｎａｌ  Ｄｉｇｉｔａｌ  Ａｓｓｉｓｔａｎｔｓ）、据え置き型のデスクトップコンピュータや、ノートブックコンピュータなどを例示することができる。また、ＬＡＮ３１０は、有線のＬＡＮだけでなく、無線ＬＡＮも含まれる。また、第一端末装置２２１は、ネットワーク接続記憶装置１００を経由せずに、ＬＡＮ（Ｌｏｃａｌ  Ａｒｅａ  Ｎｅｔｗｏｒｋ）３１０を介して直接に主装置２１０に接続されていても構わない。
【００１７】
表示処理部２２４は、発信元情報をネットワーク接続記憶装置１００から取得した場合に、図３に示すような、発信元情報２３１、および発信元情報２３１に関連するファイル情報群（後述）の出力を要求する要求操作情報２３２を表示部２２５にポップアップ表示する。本実施の形態の場合、要求操作情報２３２とは、表示部２２５に表示され、グラフィカルユーザーインターフェースの押しボタンとして機能する部分である。また、表示処理部２２４は、発信元情報２３１にひも付けられた正式名称２３３をネットワーク接続記憶装置１００から取得し、発信元情報２３１、および要求操作情報２３２と共にポップアップ表示する。管理ソフトウエアが第一端末装置２２１で実行中において、第一端末装置２２１にて他の作業が進行中でも表示処理部２２４は、発信元情報を取得した場合に各情報をポップアップ表示する。表示処理部２２４が表示させるポップアップウインドウの大きさは、特に限定されるものではないが、例えば全表示画面の四分の一以下に抑制することで第一端末装置２２１にて実行している他の作業への影響を抑制できる。
【００１８】
要求情報出力部２２３は、要求操作情報２３２に基づく操作、本実施の形態の場合、ポップアップ画面内の要求操作情報２３２をグラフィカルに押下するいわゆるクリック操作により要求情報をネットワーク接続記憶装置１００に出力する。
【００１９】
第二端末装置２２２は、主装置２１０を介することなく電話回線網３００に接続される電話機として機能し、無線ＬＡＮを介してネットワーク接続記憶装置１００と通信することができるいわゆるスマートフォンである。第二端末装置２２２は、電話回線網３００を介した着信、または着信に関連する操作が行われた場合、無線ＬＡＮを介してネットワーク接続記憶装置１００に第二着信情報を出力する。第二着信情報には、着信に対応する発信元を識別することができる発信元情報が含まれる。発信元情報は、発信元の電話番号でも良く、また発信元を識別する識別情報、またはその両方であっても構わない。第二着信情報には、相手先の名前、ふりがななどが含まれても構わない。第二着信情報は、発信元情報のみであっても構わない。
【００２０】
なお、第二端末装置２２２は、第一端末装置２２１と同様の管理ソフトウエアを実行し、表示処理部２２４、要求情報出力部２２３を実現しても構わない。
【００２１】
電話機２３０は、特に限定されるものではないが、本実施の形態の場合、電話機２３０は、それぞれ内線番号が対応付けられたいわゆるビジネスホンであり、外線電話の着信があった場合、いずれかの電話機２３０で応答することができるものとなっている。電話機２３０の種類も特に限定されるものではないが、スター配線に接続されるアナログ式の電話機２３０、ＬＡＮ３１０に接続されるデジタル式の電話機、いわゆるＩＰ（Ｉｎｔｅｒｎｅｔ  Ｐｒｏｔｏｃｏｌ）電話機等でも構わない。
【００２２】
図４は、ネットワーク接続記憶装置の機能構成を示すブロック図である。同図に示すようにネットワーク接続記憶装置１００は、電話回線網３００に接続される主装置２１０に接続され、複数の第一端末装置２２１とＬＡＮ３１０などのネットワークを介して接続されるいわゆるＮＡＳ（Ｎｅｔｗｏｒｋ  Ａｔｔａｃｈｅｄ  Ｓｔｏｒａｇｅ）であって、サーバ装置１１０と、記憶手段１２０とを備えている。本実施の形態の場合、ネットワーク接続記憶装置１００は、単数、または複数の第二端末装置２２２と無線ＬＡＮ３１０などのネットワークを介して接続可能となっている。
【００２３】
記憶手段１２０は、磁気、光、光磁気、半導体などによりデジタルデータを記憶する装置であり、例えばハードディスクドライブやＳＳＤ（Ｓｏｌｉｄ  Ｓｔａｔｅ  Ｄｉｓｋ）を例示することができる。記憶手段１２０は、サーバ装置１１０との間でデータの入出力を行う。
【００２４】
記憶手段１２０は、電子ファイル１２２を示すファイル情報１２１を記憶する。電子ファイル１２２の種類は、特に限定されるものではなく、画像ファイル、テキストファイル、所定のソフトウエアに対応するデータファイルなどを例示することができる。ファイル情報１２１は、対応する電子ファイル１２２の内容を第一端末装置２２１が取得するための情報であり、電子ファイル１２２そのものであっても構わない。また、ファイル情報１２１には電子ファイル１２２の内容を示すサムネイルが含まれていても構わない。
【００２５】
本実施の形態の場合、記憶手段１２０は、ファイル情報１２１として電子ファイル１２２の所在を示すショートカット情報を記憶している。また記憶手段１２０は、後述のファイル情報収集部により収集された複数のファイル情報１２１をまとめてファイル情報群１２３として記憶している。また、記憶手段１２０は、電子ファイル１２２も記憶している。
【００２６】
記憶手段１２０は、第一端末装置２２１に実行させる管理ソフトウエア１２５を記憶している。管理ソフトウエア１２５とは、発信元情報をネットワーク接続記憶装置１００から取得した場合に、発信元情報、および発信元情報に関連するファイル情報群１２３の出力を要求する要求操作情報をポップアップ表示する表示処理部と、要求操作情報に基づく操作により要求情報を出力する要求情報出力部とを第一端末装置２２１によって実現させるソフトウエアである。なお、管理ソフトウエア１２５は、複数のオペレーティングシステムや複数のバージョンに対応した複数のソフトウエア、例えば第二端末装置２２２に実行させるソフトウエアを含んでいても構わない。
【００２７】
また、記憶手段は、主装置２１０と電話機２３０との接続関係を示す接続情報と、主装置２１０と電話機２３０の所在を示す位置情報とを含むネットワーク構成情報を電子ファイル１２２として記憶する。ネットワーク構成情報は、テキストベースの情報、グラフィカルな情報など任意の情報である。さらに、ネットワーク構成情報には、各電話機２３０と個別に対応付けられた第一端末装置２２１の情報が含まれていても構わない。これによれば、電話をかけてきた顧客に対して、オペレータは顧客に対応したネットワーク構成を任意に確認することができる。
【００２８】
サーバ装置１１０は、主装置２１０に接続されて通信により情報を授受することができ、複数の第一端末装置２２１とＬＡＮ３１０を介して接続され第一端末装置２２１との間でも情報を授受することができるいわゆるコンピュータである。サーバ装置１１０は、ソフトウエアを実行することにより実現される機能部として、着信情報処理部１１１と、ファイル情報収集部１１３と、端末出力部１１４とを備えている。本実施の形態の場合、サーバ装置１１０はさらに、要求情報取得部１１５を備えている。
【００２９】
着信情報処理部１１１は、着信を示す第一着信情報を主装置２１０から取得する。本実施の形態の場合、着信情報処理部１１１は、主装置２１０を介することなく電話回線網３００に接続される第二端末装置２２２から第二着信情報を取得する。本実施の形態の場合、着信情報処理部１１１は、ネットワーク接続記憶装置１００に接続されている第一端末装置２２１、および第二端末装置２２２の少なくとも１台に第一着信情報、または第二着信情報に含まれる発信元情報を出力する。着信情報処理部１１１が発信元情報を出力するタイミングは特に限定されるものではないが、本実施の形態の場合、主装置２１０から第一着信情報、または第二着信情報を取得すると即座に着信情報処理部１１１が発信元情報を出力する。着信情報処理部１１１が発信元情報を出力する相手先は特に限定されるものではない。例えば着信情報処理部１１１は、ネットワーク接続記憶装置１００に接続されている、第一端末装置２２１、および第二端末装置２２２にブロードキャストしてもよい。また着信情報処理部１１１は、取得した発信元情報に基づき相手先を限定して発信元情報を出力しても構わない。例えば、記憶手段１２０に発信元情報と特定の第一端末装置２２１、および第二端末装置２２２の少なくとも一台とをひも付けたテーブルを記憶させておき、前記テーブルに基づいて着信情報処理部１１１が発信元情報を出力する相手先を決定しても構わない。
【００３０】
ファイル情報収集部１１３は、第一着信情報、または第二着信情報に含まれる発信元情報に関連する複数の電子ファイル１２２に対応する複数のファイル情報１２１をファイル情報群１２３として記憶手段１２０から収集する。ファイル情報収集部１１３がファイル情報群１２３を構築する方法は特に限定されるものではないが、例えば以下の方法を例示することができる。発信元情報に関連する電子ファイル１２２を抽出することができる検索条件を作成する。作成された検索条件を用いて記憶手段１２０内の電子ファイル１２２を抽出する。抽出された電子ファイル１２２に対応するショートカット情報などをファイル情報１２１として作成し、ファイル情報を発信元情報とひも付ける。以上により、発信元情報にひも付けられたファイル情報群１２３が構築される。
【００３１】
なお、ファイル情報収集部１１３は、第一端末装置２２１、第二端末装置２２２等の操作により手動によりファイル情報群１２３を構築しても構わない。また、ファイル情報収集部１１３は、検索条件に基づき自動的に作成したファイル情報群１２３に対し、手動によりファイル情報１２１の追加、削除を受け付けても構わない。
【００３２】
また、ファイル情報収集部１１３は、電子ファイル１２２が更新されたことを示す情報、更新された日時を示す情報、電子ファイル１２２がダウンロードされたことを示す情報、ダウンロードされた日時を示す情報等を取得し、これらの情報に基づきファイル情報１２１を更新しても構わない。
【００３３】
端末出力部１１４は、ファイル情報群１２３を第一端末装置２２１、および第二端末装置２２２の少なくとも１台に出力する。端末出力部１１４がファイル情報１２１を出力するタイミングは特に限定されるものではない。本実施の形態の場合、要求情報取得部１１５がファイル情報群１２３の出力を要求する要求情報を、発信元情報を取得した第一端末装置２２１、または第二端末装置２２２から取得した場合に、端末出力部１１４がファイル情報群１２３を出力する。また、端末出力部１１４がファイル情報群１２３を出力する相手先は特に限定されるものではない。本実施の形態の場合、端末出力部１１４は、要求情報を出力した第一端末装置２２１、または第二端末装置２２２にファイル情報群１２３を出力する。
【００３４】
なお、端末出力部１１４は、着信情報処理部１１１が第一着信情報、または第二着信情報を取得し、発信元情報を出力するタイミングに伴ってファイル情報群１２３を出力しても良い。また、端末出力部１１４がファイル情報群１２３を出力する相手先は、着信情報処理部１１１が発信元情報を出力する相手先と対応付けられていても構わない。また、第一端末装置２２１、または第二端末装置２２２から任意のタイミングで要求情報を要求情報取得部１１５が取得した場合、これに応じて端末出力部１１４は、要求情報を出力した第一端末装置２２１、または第二端末装置２２２にファイル情報群１２３を出力してもかまわない。
【００３５】
次に、情報管理システム２００の処理の流れを説明する。図５は、情報管理システムの処理の流れを示すタイミングチャートである。ネットワーク接続記憶装置１００の着信情報処理部１１１は、主装置２１０からの第一着信情報、または第二端末装置２２２からの第二着信情報を取得すると第一端末装置２２１、および第二端末装置２２２の少なくとも１台に発信元情報を出力する。発信元情報を取得した第一端末装置２２１、および発信元情報を取得した第二端末装置２２２の表示処理部２２４は、図３に示す発信元情報２３１、および要求操作情報２３２をポップアップ表示する。
【００３６】
次に、ポップアップ表示を確認したオペレータは、例えば着信に対して応答する場合、応答の前後のいずれかで第一端末装置２２１、または第二端末装置２２２を操作し、要求情報をネットワーク接続記憶装置１００に出力する。
【００３７】
要求情報を取得したネットワーク接続記憶装置１００は、要求情報を出力した第一端末装置２２１、または第二端末装置２２２にファイル情報群１２３を出力する。なお、ファイル情報群１２３は、事前に作成されていたものが出力されてもよい。また、ファイル情報収集部１１３は、要求情報を取得した際に新しくファイル情報群１２３を作成してもよく、またファイル情報群１２３を更新しても構わない。
【００３８】
ファイル情報群を取得した第一端末装置２２１、または第二端末装置２２２は、表示部２２５にファイル情報群を表示する。ファイル情報群の表示方法は、特に限定されるものではないが、例えば図６に示すように、表示処理部２２４がサムネイルを含むファイル情報１２１を一覧で表示しても構わない。また、ファイル情報群１２３が表示されるウインドウのサイズは、図３に示す発信元情報により着信を知らせるポップアップ表示よりも大きくても構わない。ファイル情報群１２３が表示されるウインドウは、ポップアップ表示に重ねて、またはポップアップ表示の代わりに表示しても構わない。
【００３９】
ファイル情報群１２３を確認したオペレータは、いずれか一つのファイル情報１２１をグラフィカルに指示することによりネットワーク接続記憶装置１００に対し電子ファイル１２２を要求し、当該要求に対してネットワーク接続記憶装置１００は対応する電子ファイル１２２を出力する。
【００４０】
上記情報管理システム２００によれば、電話回線網３００を介した着信直後にオペレータは着信元に関連する複数の電子ファイル１２２をそれぞれ示すファイル情報１２１を一覧で確認することができ、必要な電子ファイル１２２を選定して即座に開けることが可能となる。従って、顧客からの問合せに対し、迅速、適格に情報を収集して対応することが可能となる。
【００４１】
なお、本発明は、上記実施の形態に限定されるものではない。例えば、本明細書において記載した構成要素を任意に組み合わせて、また、構成要素のいくつかを除外して実現される別の実施の形態を本発明の実施の形態としてもよい。また、上記実施の形態に対して本発明の主旨、すなわち、請求の範囲に記載される文言が示す意味を逸脱しない範囲で当業者が思いつく各種変形を施して得られる変形例も本発明に含まれる。
【００４２】
例えば上記実施の形態では、ネットワーク接続記憶装置１００は、着信直後に発信元情報を出力し、第一端末装置２２１、または第二端末装置２２２からの要求情報を待ってファイル情報群１２３を出力したが、着信直後に発信元情報とともにファイル情報群１２３を出力しても構わない。
【産業上の利用可能性】
【００４３】
本発明は、構内交換機、ＮＡＳ、電話機、情報端末を備えるシステムに利用可能である。
【符号の説明】
【００４４】
１００  ネットワーク接続記憶装置
１１０  サーバ装置
１１１  着信情報処理部
１１３  ファイル情報収集部
１１４  端末出力部
１１５  要求情報取得部
１２０  記憶手段
１２１  ファイル情報
１２２  電子ファイル
１２３  ファイル情報群
１２５  管理ソフトウエア
２００  情報管理システム
２１０  主装置
２２１  第一端末装置
２２２  第二端末装置
２２３  要求情報出力部
２２４  表示処理部
２２５  表示部
２３０  電話機
２３１  発信元情報
２３２  要求操作情報
２３３  正式名称
３００  電話回線網
【図１】
2020188354.tif 000003
【図２】
2020188354.tif 000004
【図３】
2020188354.tif 000005
【図４】
2020188354.tif 000006
【図５】
2020188354.tif 000007
【図６】
2020188354.tif 000008